(57)【要約】【課題】電子機器のユーザーインターフェース画面において、多言語フォントの使用を抑制しつつ多言語でのサポートを実現する。【解決手段】電子機器は、タッチパネルを有し、前記タッチパネルに操作表示画面を表示し、前記操作表示画面から操作入力を受け付ける操作表示部と、前記操作表示画面において文字列を表示する領域である文字列領域上で予め設定された動作に応じて前記電子機器の作動モードを変更し、音声ガイド処理が作動中である音声ガイド作動モードとする音声ガイド制御部と、前記音声ガイド作動モードにおいて、前記文字列領域へのタッチに応じて前記文字列領域に表示されている文字列に関連する音声ガイドを出力する音声ガイド出力部とを備える。【選択図】図１
2018092217.tif 000002
【特許請求の範囲】
【請求項１】
電子機器であって、
タッチパネルを有し、前記タッチパネルに操作表示画面を表示し、前記操作表示画面から操作入力を受け付ける操作表示部と、
前記操作表示画面において文字列を表示する領域である文字列領域上で予め設定された動作に応じて前記電子機器の作動モードを変更し、音声ガイド処理が作動中である音声ガイド作動モードとする音声ガイド制御部と、
前記音声ガイド作動モードにおいて、前記文字列領域へのタッチに応じて前記文字列領域に表示されている文字列に関連する音声ガイドを出力する音声ガイド出力部と、
を備える電子機器。
【請求項２】
請求項１に記載の電子機器であって、
前記電子機器は、前記音声ガイド処理を終了し、前記作動モードを前記音声ガイド処理が非作動中である音声ガイド非作動モードに変更するための表示を前記操作表示画面に表示する電子機器。
【請求項３】
請求項１又は２に記載の電子機器であって、
前記音声ガイド制御部は、前記操作表示画面に表示されている前記文字列に紐付けられている音声ファイルをメモリー上に展開し、
前記音声ガイド出力部は、前記文字列に紐付けられ、前記展開されている音声ファイルを再生することによって前記音声ガイドを出力する電子機器。
【請求項４】
請求項１乃至３のいずれか１項に記載の電子機器であって、
前記電子機器は、携帯端末に無線通信で接続するための無線通信部を有し、前記携帯端末から前記音声ガイドを出力する電子機器。
【請求項５】
請求項２に記載の電子機器であって、
前記操作表示部は、前記文字列領域を含むアイコンを表示し、前記アイコンの輪郭を確定するアイコン領域内において、前記音声ガイド非作動モードから前記音声ガイド作動モードへの変更に応じて、前記アイコン領域内で前記文字列領域を移動させる電子機器。
【請求項６】
請求項２又は５のいずれか１項に記載の電子機器であって、
前記操作表示部は、前記文字列領域を含むアイコンを表示し、前記アイコンの輪郭を確定するアイコン領域内において、前記音声ガイド非作動モードから前記音声ガイド作動モードへの変更に応じて、前記アイコン領域内で前記文字列領域を縮小させる電子機器。
【請求項７】
電子機器を操作するための操作表示方法であって、
タッチパネルを使用し、前記タッチパネルに操作表示画面を表示し、前記操作表示画面から操作入力を受け付ける操作表示工程と、
前記操作表示画面において文字列を表示する領域である文字列領域上で予め設定された動作に応じて音声ガイド処理を起動して音声ガイド作動モードに、前記電子機器の作動モードを変更する音声ガイド制御工程と、
前記音声ガイド作動モードにおいて、前記文字列領域へのタッチに応じて前記文字列領域に表示されている文字列に関連する音声ガイドを出力する音声ガイド出力工程と、
を備える操作表示方法。
【発明の詳細な説明】
【技術分野】
【０００１】
本発明は、操作表示装置に関し、詳しくは、複数の表示画面を使用してユーザー入力を受け付ける電子機器（たとえば画像形成装置）に関する。
【背景技術】
【０００２】
画像形成装置（たとえばプリンター、多機能プリンター、又は複合機（Ｍｕｌｔｉｆｕｎｃｔｉｏｎ  Ｐｅｒｉｐｈｅｒａｌ））は、多機能化に伴って様々なメッセージを表示してユーザーインターフェース画面の操作を円滑化している。一方、国際化の進展によって、画像形成装置は、様々な母国語を有するユーザーによって共有される機会も増えているため、多言語でのメッセージの表示が要請されている。このような状況は、画像形成装置に限られず、多機能な電子機器一般に共通する状況である。
【先行技術文献】
【特許文献】
【０００３】
【特許文献１】特開２０１３−１７８５０９号公報
【特許文献２】特開２０１４−１９２８７０号公報
【発明の概要】
【発明が解決しようとする課題】
【０００４】
しかし、ユーザーインターフェース画面における多言語でのメッセージの表示は、多くのフォントの使用を必要とするので、煩雑で高コストの多言語フォントのライセンスを伴うという問題があった。
【０００５】
本発明は、このような状況に鑑みてなされたものであり、電子機器のユーザーインターフェース画面において、多言語フォントの使用を抑制しつつ多言語でのサポートを実現する技術を提供することを目的とする。
【課題を解決するための手段】
【０００６】
本発明の電子機器は、タッチパネルを有し、前記タッチパネルに操作表示画面を表示し、前記操作表示画面から操作入力を受け付ける操作表示部と、前記操作表示画面において文字列を表示する領域である文字列領域上で予め設定された動作に応じて前記電子機器の作動モードを変更し、音声ガイド処理が作動中である音声ガイド作動モードとする音声ガイド制御部と、前記音声ガイド作動モードにおいて、前記文字列領域へのタッチに応じて前記文字列領域に表示されている文字列に関連する音声ガイドを出力する音声ガイド出力部とを備える。
【０００７】
本発明は、電子機器を操作するための操作表示方法を提供する。前記操作表示方法は、タッチパネルを使用し、前記タッチパネルに操作表示画面を表示し、前記操作表示画面から操作入力を受け付ける操作表示工程と、前記操作表示画面において文字列を表示する領域である文字列領域上で予め設定された動作に応じて音声ガイド処理を起動して音声ガイド作動モードに、前記電子機器の作動モードを変更する音声ガイド制御工程と、前記音声ガイド作動モードにおいて、前記文字列領域へのタッチに応じて前記文字列領域に表示されている文字列に関連する音声ガイドを出力する音声ガイド出力工程とを備える。
【発明の効果】
【０００８】
本発明によれば、電子機器のユーザーインターフェース画面において、多言語フォントの使用を抑制しつつ多言語でのサポートを実現することができる。
【図面の簡単な説明】
【０００９】
【図１】本発明の一実施形態に係る画像形成装置１の機能構成を示すブロックダイアグラムである。
【図２】一実施形態に係る画像形成装置１における音声ガイド処理手順を示すフローチャートである。
【図３】一実施形態に係る操作表示部３０が有するディスプレイ３１のファイル形式設定画面３１ａを示す説明図である。
【図４】一実施形態に係る操作表示部３０が有するディスプレイ３１のファイル形式設定画面３１ｂ、３１ｃを示す説明図である。
【図５】一実施形態に係る操作表示部３０が有するディスプレイ３１のファイル形式設定画面３１ｄ、３１ｅを示す説明図である。
【発明を実施するための形態】
【００１０】
以下、本発明を実施するための形態（以下、「実施形態」という）を、図面を参照して説明する。
【００１１】
図１は、本発明の一実施形態に係る画像形成装置１の機能構成を示すブロックダイアグラムである。画像形成装置１は、制御部１０と、画像形成部２０と、操作表示部３０と、記憶部４０と、外部ＩＦ部５０と、音声出力部６０とを備えている。画像形成部２０は、画像データに基づいて印刷用紙に印刷を実行する。音声出力部６０は、音声ガイドを出力するための図示しないスピーカーを有している。
【００１２】
操作表示部３０は、ディスプレイ３１と操作処理部３２とを備えている。ディスプレイ３１は、タッチパネルとして機能し、様々なメニューを入力画面として表示する。操作処理部３２は、タッチパネルとして機能するディスプレイ３１や各種ボタンやスイッチ（図示せず）からユーザーの操作入力を受け付ける。外部ＩＦ部５０は、無線通信部とも呼ばれ、図示しない携帯端末との無線通信を行うことができる。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。制御部１０は、音声ガイド制御部１１と音声ガイド再生部１２とを備えている。これらの詳細については後述する。
【００１４】
記憶部４０は、非一時的な記録媒体であるハードディスクドライブやフラッシュメモリー等からなる記憶装置で、制御部１０が実行する処理の制御プログラムやデータを記憶する。記憶部４０は、設定値データベース４１（設定値ＤＢとも表記される。）と、音声データベース４２（音声ＤＢとも表記される。）と、音声ガイドプログラム４３とを格納している。
【００１５】
設定値データベース４１は、メニューとして機能する複数の入力画面を表示するための画面データと、各入力画面の全ての設定値とを格納している。音声データベース４２は、音声ガイドに使用される音声ファイルをデータベース形式で検索可能に格納している。音声データベース４２は、記憶部４０の記憶領域の消費量を抑制するために音声ファイルを圧縮して格納している。
【００１６】
音声データベース４２は、音声ガイド毎にレコードを有する。音声データベース４２は、画面に表示されるメッセージ（文字列）を登録するフィールドであるメッセージフィールドと、音声ガイドの言語を登録するフィールドである言語フィールドとを有している。音声ガイドプログラム４３は、音声ガイド制御部１１と音声ガイド再生部１２とを機能させ、音声出力部６０から音声ガイドを出力するためのプログラムである。
【００１７】
図２は、一実施形態に係る画像形成装置１における音声ガイド処理手順を示すフローチャートである。ステップＳ１０では、ユーザーは、画像形成装置１にログインする。ログイン操作は、図示しないログイン画面においてログインユーザー名とパスワードを入力することによって行われる。制御部１０は、ログインに応じてホーム画面（図示せず）を経てディスプレイ３１に、操作表示画面の一例としてファイル形式設定画面３１ａを表示させる（図３(ａ)参照）。ファイル形式設定画面３１ａは、操作表示画面とも呼ばれる。
【００１８】
図３は、一実施形態に係る操作表示部３０が有するディスプレイ３１のファイル形式設定画面の一例を示す説明図である。ファイル形式設定画面３１ａは、ログイン後に所定の操作で表示された画面である。
【００１９】
ファイル形式設定画面３１ａは、画像読取機能において生成する画像データファイルのファイル形式を設定する画面である。ファイル形式設定画面３１ａは、ファイル形式としてＪＰＥＧを選択するためのアイコン３５１と、ＰＤＦを選択するためのアイコン３５２と、高圧縮ＰＤＦを選択するためのアイコン３５３と、ＸＰＳを選択するためのアイコン３５４と、ＴＩＦＦを選択するためのアイコン３５５と、ＯｐｅｎＸＰＳを選択するためのアイコン３５６とを有している。
【００２０】
ＪＰＥＧを選択するためのアイコン３５１の内部には、「ＪＰＥＧ」のメッセージが表示されている。ＰＤＦを選択するためのアイコン３５２、高圧縮ＰＤＦを選択するためのアイコン３５３、ＸＰＳを選択するためのアイコン３５４、ＴＩＦＦを選択するためのアイコン３５５及びＯｐｅｎＸＰＳを選択するためのアイコン３５６には、それぞれ「ＰＤＦ」、「高圧縮ＰＤＦ」、「ＸＰＳ」、「ＴＩＦＦ」及び「ＯｐｅｎＸＰＳ」のメッセージが表示されている。
【００２１】
ファイル形式設定画面３１ａは、さらに、ファイル形式設定画面３１ａで設定された設定内容を設定値データベース４１に格納するためのＯＫアイコン３６と、ファイル形式の設定を中止してファイル形式設定画面３１ａへの遷移前の画面に戻るためのキャンセルアイコン３７とを有している。
【００２２】
ファイル形式設定画面３１ａの左上には、「ファイル形式」のメッセージが表示されている。「ファイル形式」のメッセージ（文字列）は、ファイル形式設定画面３１ａがファイル形式の設定画面であることをユーザーに知らせている。しかしながら、「ファイル形式」のメッセージは、日本語で表示されているので、日本語を母国語としないユーザーに対しては、ファイル形式設定画面３１ａの操作をサポートするという本来の機能が発揮できていない場合がある。
【００２３】
ステップＳ２０では、ユーザーは、「ファイル形式」のメッセージ上において長押し操作を行う。具体的には、ユーザーは、図３（ｂ）に示される文字列領域７２の範囲内において長押し操作を行う。文字列領域７２は、「ファイル形式」のメッセージを構成する「ファイル形式」の文字列７１を包含する領域である。長押し操作は、予め設定された時間（たとえば２秒）だけタッチパネルとして機能するディスプレイ３１を触れることによって行うことができる。
【００２４】
制御部１０の音声ガイド制御部１１は、文字列領域７２の範囲内における長押し操作に応じて音声ガイド処理ルーチンを起動させる。音声ガイド処理ルーチンは、記憶部４０から音声ガイドプログラム４３をメモリー（たとえばＲＡＭ）上に読み出して、音声ガイド制御部１１と音声ガイド再生部１２とを機能可能とする処理ルーチンである。
【００２５】
図４は、一実施形態に係る操作表示部３０が有するディスプレイ３１のファイル形式設定画面３１ｂ、３１ｃを示す説明図である。ステップＳ３０では、音声ガイド制御部１１は、起動時においてファイル形式設定画面３１ａ上に言語選択ウィンドウ３８を表示させる。言語選択ウィンドウ３８は、英語、イタリア語、ヘブライ語及び韓国語を選択するための各アイコンと、スクロールアイコン３８Ｓとを有している。
【００２６】
スクロールアイコン３８Ｓは、上述の４カ国語以外の言語を選択するために言語を選択するためにアイコンをスクロールするためのアイコンである。この例では、各アイコンには、比較的に多くの国の国民にとって理解が可能な英語でメッセージが表示されている。
【００２７】
ステップＳ４０では、ユーザーは、音声ガイドに使用される言語を選択する。この例では、ユーザーは、英語を選択するためのアイコン３８Ｌをタッチしたものとする。アイコン３８Ｌは、ユーザーによるタッチに応じて反転表示している。
【００２８】
ステップＳ５０では、音声ガイド制御部１１は、圧縮されている音声ファイルをメモリー（たとえばＲＡＭ）上に展開する。展開対象となる音声ファイルは、本実施形態では、ファイル形式設定画面３１ａにおいて再生される可能性がある音声ガイドの音声ファイルとなる。これにより、ファイル形式設定画面３１ａにおいて、音声ガイドを瞬時に再生することが可能となる一方、音声ファイルの量をファイル形式設定画面３１ａで必要なものだけに限定することによってメモリーの消費量を軽減させることができる。
【００２９】
音声ガイド制御部１１は、言語としての英語の選択に応じて、記憶部４０の音声データベース４２において、「ＪＰＥＧ」「ＰＤＦ」、「高圧縮ＰＤＦ」、「ＸＰＳ」、「ＴＩＦＦ」、「ＯｐｅｎＸＰＳ」、「ファイル形式」、「キャンセル」及び「ＯＫ」のメッセージを検索する。この検索では、言語フィールドに「英語」が登録され、メッセージフィールドに「ＪＰＥＧ」「ＰＤＦ」、「高圧縮ＰＤＦ」、「ＸＰＳ」、「ＴＩＦＦ」、「ＯｐｅｎＸＰＳ」、「ファイル形式」、「キャンセル」又は「ＯＫ」のメッセージが登録されている全レコードの音声ガイドが抽出される。
【００３０】
音声ガイド制御部１１は、抽出された音声データをメモリー上に読み出して、「ＪＰＥＧ」「ＰＤＦ」、「高圧縮ＰＤＦ」、「ＸＰＳ」、「ＴＩＦＦ」、「ＯｐｅｎＸＰＳ」、「ファイル形式」、「キャンセル」及び「ＯＫ」の各メッセージ（すなわち文字列）に紐付けて展開する。これにより、音声ガイド制御部１１は、メモリーの消費を抑制しつつ音声出力部６０から瞬時に音声ガイドを出力することができる状態となる。音声ガイド制御部１１は、ディスプレイ３１に表示されるユーザーインターフェース画面が遷移する毎に、メモリー上に展開される音声ファイルを更新する。
【００３１】
図５は、一実施形態に係る操作表示部３０が有するディスプレイ３１のファイル形式設定画面３１ｄ、３１ｅを示す説明図である。ファイル形式設定画面３１ｄ、３１ｅには、音声ガイド処理ルーチンを修了させる「Ｖｏｉｃｅ  Ｇｕｉｄａｎｃｅ  ＯＦＦ」とのメッセージが表示されているアイコン３９が表示されている。アイコン３９は、音声ガイドを終了させるためのアイコンである。
【００３２】
ユーザーは、アイコン３９をタッチして反転表示に遷移させた後に、ＯＫアイコン３６をタッチすることによっていつでも音声ガイドを終了させることができる。すなわち、操作処理部３２は、ＯＫアイコン３６へのタッチに応じて、アイコン３９のタッチを制御部１０に送信する。制御部１０は、この送信に応じて音声ガイドを終了させる。
【００３３】
ステップＳ６０では、ユーザーは、図５（ａ）に示されるように、アイコン３５３ａの内部に表示されている「高圧縮ＰＤＦ」のメッセージ上においてタッチ操作を行う。具体的には、ユーザーは、図５（ａ）に示される文字列領域３５３Ｒの範囲内においてタッチ操作を行う。文字列領域３５３Ｒは、「高圧縮ＰＤＦ」のメッセージを構成する「高圧縮ＰＤＦ」の文字列を包含する領域である。
【００３４】
ステップＳ７０では、音声ガイド再生部１２は、メモリー上に展開されている高圧縮ＰＤＦという文字列に紐付けられて展開されている音声ファイルを再生する。音声ファイルには、英語の音声で「高圧縮ＰＤＦ」に対応する英語音声（Ｈｉｇｈ  Ｃｏｍｐｒｅｓｓｉｏｎ  ＰＤＦ）が再生される。これにより、ユーザーは、英語音声に基づいて「高圧縮ＰＤＦ」との表示が意味する内容を理解することができる。
【００３５】
一方、操作処理部３２は、高圧縮ＰＤＦを選択するためのアイコン３５３を反転表示させてアイコン３５３ａに遷移させる。アイコン３５３ａは、反転表示することによって、設定内容としてファイル形式が高圧縮ＰＤＦであるとの設定が選択されていることを示している。
【００３６】
ステップＳ８０では、ユーザーは、ＯＫアイコン３６をタッチする。操作処理部３２は、ＯＫアイコン３６へのタッチに応じて、ファイル形式としての高圧縮ＰＤＦの選択を制御部１０に送信する。制御部１０は、この送信に応じて高圧縮ＰＤＦの選択を設定値データベース４１に登録する（ステップＳ９０）。
【００３７】
一方、ユーザーは、音声ファイルを再生することなく、高圧縮ＰＤＦを選択するためのアイコン３５３を反転表示させることもできる。具体的には、ユーザーは、図５（ｂ）に示されるように、アイコン３５３の輪郭を確定するアイコン領域において文字列領域３５３Ｒ以外の領域（すなわち文字列領域３５３Ｒの外部の領域）をタッチすることによって音声ファイルを再生することなく、高圧縮ＰＤＦを選択することができる。これにより、ユーザーは、音声ガイドの使用を望むときにだけ、音声ファイルを再生することができる。
【００３８】
このように、本実施形態では、画像形成装置１のユーザーインターフェース画面において、多言語フォントの使用を抑制しつつ多言語でのサポートを実現することができる。さらに、本実施形態では、ユーザーは、音声ファイルを再生しつつアイコンを選択するだけでなく、音声ファイルを再生させないでアイコンを選択することも可能である。これにより、ユーザーは、必要に応じて音声ガイドを利用しつつ設定操作を行うことができる。
【００３９】
Ｃ．変形例：本発明は、上記実施形態だけでなく、以下のような変形例でも実施することができる。
【００４０】
変形例１：上記実施形態では、画像形成装置はログイン機能を有しているが、ログイン機能を備えない画像形成装置にも本発明を適用することができる。ただし、ログイン機能を備える画像形成装置では、ログインに応じて音声ガイドを開始する設定を可能とすることができるという利点がある。
【００４１】
変形例２：上記実施形態では、アイコン領域へのタッチに応じてアイコンが選択され、文字列領域へのタッチに応じてアイコンが選択されるとともに音声ファイルが再生されるように画像形成装置が構成されている。よって、本構成では、アイコン領域において文字列領域外の領域へのタッチに応じて、音声ファイルを再生することなく、アイコンを選択することができる。
【００４２】
このような操作方法を考慮し、音声ガイドがオン（作動中）の場合と音声ガイドがオフの場合とで、アイコン領域や文字列領域を変更するようにしてもよい。具体的には、たとえば音声ガイドがオンの場合には、音声ガイドがオフ（非作動中）の場合と比較して、文字列領域の縮小や上下方向や左右方向へのシフト（アイコン領域における文字列領域の移動）とを行うようにしてもよい。これにより、文字列領域以外の領域（すなわち文字列領域の外部の領域）をタッチすることによって音声ファイルを再生することなくアイコンを選択する場合に、誤って文字領域をタッチしてしまうこと等を防止することもでき、さらに操作性を向上させることができる。
【００４３】
変形例３：上記実施形態では、アイコン内ではなく、設定画面の内容を示すメッセージである「ファイル形式」の文字領域において長押し操作を行うことによって、音声ガイドがオンとなるように（すなわち起動するように）構成されているが、アイコン内の文字列領域において長押しすることによって音声ガイドをオンとするように構成してもよい。
【００４４】
なお、音声ガイドの起動は、必ずしも長押し操作に限られず、たとえば文字列の方向に滑らすような動作といった予め設定された動作であればよい。また、音声ガイドがオンである画像形成装置の作動モードは、音声ガイド作動モードと呼ばれ、音声ガイドがオフである画像形成装置の作動モードは、音声ガイド非作動モードと呼ばれる。
【００４５】
変形例４：上記実施形態では、音声出力部のスピーカーから音声ガイドが出力されるように構成されているが、必ずしも画像形成装置から音声を出力する必要はない。具体的には、画像形成装置は、たとえば外部ＩＦ部５０を介して携帯端末（たとえばスマートフォン）を近距離無線通信で接続し、携帯端末に音声を送信し、携帯端末で音声ガイドを聞くことができるようにしてもよい。こうすれば、ユーザーは、静かなオフィスで気兼ねなく音声ガイドを利用することができる。
【００４６】
変形例５：上記実施形態では、画像形成装置１の制御部１０が音声ガイド制御部１１と音声ガイド再生部１２とを備えているが、必ずしも画像形成装置側が備える必要はない。具体的には、スマートフォン側にアプリケーションプログラムをインストールし、画面の遷移に応じて圧縮された音声ファイルをスマートフォン側にダウンロードして再生するようにしてもよい。
【００４７】
変形例６：上記実施形態では、音声ガイド再生部が音声ファイルを再生することによって音声ガイドを行っているが、必ずしも音声ファイルを再生する必要はなく、テキストファイル等に基づいて人工音声を生成して出力するようにしてもよい。本発明は、広く音声ガイドを出力する音声ガイド出力部を有するものであればよい。
【００４８】
変形例７：上記実施形態では、ファイル形式の設定画面の操作表示に音声ガイドが使用されているが、音声ガイドは設定画面に限られず使用することが可能である。具体的には、たとえばＯＫアイコンが表示されておらず、アイコンをタッチすることによって直ちに送信やスキャンといった動作を実行する操作表示画面においても、たとえば「ＯＫ」と「キャンセル」のアイコンを含む確認ウィンドウを音声ガイド作動モードで表示することによって利用可能である。
【００４９】
変形例８：上記実施形態では、音声ガイドが多言語サポートに使用されているが、本発明の用途は必ずしも多言語サポートに限られず、音声ガイドでユーザーの操作をサポートするものであってもよい。このように、音声ガイドは、文字列に関連する音声を出力するものであればよい。
【００５０】
変形例９：上記実施形態は、画像形成装置に本発明を適用しているが、他の電子機器にも本発明は適用可能である。
【符号の説明】
【００５１】
１  画像形成装置
１０  制御部
１１  音声ガイド制御部
１２  音声ガイド再生部
２０  画像形成部
３０  操作表示部
３１  ディスプレイ
３２  操作処理部
４０  記憶部
４１  設定値データベース
４２  音声データベース
４３  音声ガイドプログラム
５０  外部ＩＦ部
６０  音声出力部
【図１】
2018092217.tif 000003
【図２】
2018092217.tif 000004
【図３】
2018092217.tif 000005
【図４】
2018092217.tif 000006
【図５】
2018092217.tif 000007